(57)【特許請求の範囲】
【請求項１】
入力画像データに対して補正処理を行う補正部と、
上記補正部にて補正された画像データを記憶する記憶部とを備えた画像処理装置であって、
上記補正部は、上記入力画像データを用いて単色画像に対応する第１画像データを生成する第１の補正を行うと共に、上記入力画像データを用いて、プリントに適した画像を表現できるような画像データであって、画像サイズが上記第１画像データよりも小さい第２画像データを生成する第２の補正を行い、
上記記憶部は、上記第１画像データにより表される画像の周縁に上記第２画像データにより表される画像に重ならない部分を残して上記第２画像データを上記第１画像データに上書きしたウィズ・ボーダータイプの画像の画像データを記憶することを特徴とする画像処理装置。
【請求項２】
上記入力画像データの補正に用いる補正パラメータを設定する補正パラメータ設定部をさらに備え、
上記補正パラメータ設定部は、上記第１の補正と上記第２の補正とで異なる補正パラメータを設定し、
上記補正部は、個々の補正パラメータに基づいて上記第１の補正および上記第２の補正を行うことを特徴とする請求項１に記載の画像処理装置。
【請求項３】
上記補正パラメータ設定部は、上記第１の補正によって上記第１画像データの値が全て白に対応する値となるように、上記第１の補正に用いる補正パラメータを設定することを特徴とする請求項２に記載の画像処理装置。
【請求項４】
上記補正部は、プリントサイズに応じた画像サイズの上記第１画像データを作成することを特徴とする請求項１ないし３のいずれかに記載の画像処理装置。
【請求項５】
補正部にて、入力画像データを用いて単色画像に対応する第１画像データを生成する第１の補正を行う工程と、
上記補正部にて、上記入力画像データを用いて、プリントに適した画像を表現できるような画像データであって、画像サイズが上記第１画像データよりも小さい第２画像データを生成する第２の補正を行う工程と、
上記第１画像データにより表される画像の周縁に上記第２画像データにより表される画像に重ならない部分を残して上記第２画像データを上記第１画像データに上書きしたウィズ・ボーダータイプの画像の画像データを記憶する工程とを有していることを特徴とする画像処理方法。
【請求項６】
請求項５に記載の画像処理方法による処理をコンピュータに実行させるためのプログラムであることを特徴とする画像処理プログラム。
【請求項７】
請求項６に記載の画像処理プログラムをコンピュータにて読み取り可能に記録してなることを特徴とする画像処理プログラムを記録した記録媒体。
【請求項８】
請求項１ないし４のいずれかに記載の画像処理装置と、
上記画像処理装置の上記記憶部に記憶された上書きデータに基づいて感光材料を露光する露光部とを備えていることを特徴とする写真処理装置。
【発明の詳細な説明】
【０００１】
【発明の属する技術分野】
本発明は、例えばネガフィルムのような写真フィルムを読み取って得られる画像データを利用して縁有りの画像、すなわち、ウィズ・ボーダータイプの画像を作成する画像処理装置、画像処理方法、画像処理プログラム、画像処理プログラムを記録した記録媒体、および、上記画像処理装置にて作成したウィズ・ボーダータイプの画像を印画紙に焼き付ける写真処理装置に関するものである。
【０００２】
【従来の技術】
従来から、写真処理の分野においては、デジタル露光による画像の焼き付けが盛んに行われているが、ウィズ・ボーダータイプの画像を印画紙に焼き付けることが可能な写真処理装置としては、例えば図４および図５に示す構成が知られている。
【０００３】
図４の写真処理装置は、スキャナ５１と、画像処理部５２と、露光部５３とで構成されている。写真フィルムの画像をスキャナ５１にて読み取ると、読み取って得られる画像データは、画像処理部５２の取り込み画像メモリ５４に一旦格納された後、補正部５５に送られる。補正部５５では、補正パラメータ設定部５６によって設定入力された補正パラメータに基づいて、プリントに適した画像を得るための補正処理が行われる。この補正処理としては、例えば、色補正、濃度補正、ガンマ補正、プリントする印画紙のサイズに画像を合わせるための拡大／縮小などの処理があり、上記の補正パラメータでそれらの補正処理の程度が適宜設定される。補正部５５にて補正された画像データ（以下、補正データと記載する）は合成部５７に送られる。
【０００４】
また、画像処理部５２のＷＢ用画像メモリ５８には、様々なサイズの白縁画像の画像データ（以下、白縁データと記載する）が予め格納されている。このＷＢ用画像メモリ５８から白縁データが合成部５７に送られると、合成部５７では、補正部５５からの補正データと、ＷＢ用画像メモリ５８からの白縁データとが合成され、合成後の画像データ（以下、合成データと記載する）が出力用メモリ５９に格納される。
【０００５】
そして、出力用メモリ５９から合成データが露光部５３に送られると、露光部５３では、上記合成データに基づいて、露光部５３の光変調素子における各画素が駆動され、各画素を介して得られる光を印画紙に照射することにより、上記合成データに応じた画像、すなわち、ウィズ・ボーダータイプの画像が印画紙に焼き付けられる。
【０００６】
一方、図５の写真処理装置は、スキャナ５１と、画像処理部５２’と、露光部５３とで構成されており、画像処理部５２’だけが図４の写真処理装置とは異なるものとなっている。画像処理部５２’は、画像処理部５２において、合成部５７およびＷＢ用画像メモリ５８の代わりに、クリア処理部６０を備えた構成となっている。
【０００７】
このクリア処理部６０は、出力用画像メモリ５９の記憶内容をクリアするためのブロックであり、出力用画像メモリ５９にアクセスして、記憶されているデータを白に対応するデータに書き換える働きをする。
【０００８】
画像処理部５２’では、補正部５５までの処理については、画像処理部５２と同様であり、補正部５５からの補正データは直接、出力用メモリ５９に送られることになる。しかし、その前に、クリア処理部６０により、出力用画像メモリ５９を白くクリアしておく処理が行われる。
【０００９】
補正部５５において、印画紙のサイズよりも若干画像が小さくなるように上記補正データに対して縮小処理を施しておけば、上記補正データを出力用メモリ５９に送り、出力用メモリ５９の白くクリアされたメモリ上に上記補正データを上書きすることで、出力用メモリ５９にて合成データが得られることになる。
【００１０】
そして、図４の写真処理装置と同様に、出力用メモリ５９から合成データを露光部５３に送れば、露光部５３にて上記合成データに基づく印画紙の露光が行われ、ウィズ・ボーダータイプの画像が印画紙に焼き付けられる。
【００１１】
【発明が解決しようとする課題】
ところが、図４および図５の構成では、画像処理部５２・５２’において、ウィズ・ボーダータイプの画像を作成するために、上記画像作成専用のブロック（合成部５７およびＷＢ用画像メモリ５８、または、クリア処理部６０）が必要となる。このため、画像処理部５２・５２’の構成が複雑化し、装置の価格も上昇するという問題が生ずる。
【００１２】
本発明は、上記の問題点を解決するためになされたもので、その目的は、ウィズ・ボーダータイプの画像の作成専用のブロックを設けることなく、既存の構成でそのような画像を作成でき、これによって装置の構成を簡素化して装置の価格を低減できる画像処置装置と、画像処理方法と、画像処理プログラムと、画像処理プログラムを記録した記録媒体と、上記画像処理装置を備えた写真処理装置とを提供することにある。
【００１３】
【課題を解決するための手段】
請求項１の発明に係る画像処理装置は、上記の課題を解決するために、入力画像データに対して補正処理を行う補正部と、上記補正部にて補正された画像データを記憶する記憶部とを備えた画像処理装置であって、上記補正部は、上記入力画像データを用いて単色画像に対応する第１画像データを生成する第１の補正を行うと共に、上記入力画像データを用いて、プリントに適した画像を表現できるような画像データであって、画像サイズが上記第１画像データよりも小さい第２画像データを生成する第２の補正を行い、上記記憶部は、上記第１画像データにより表される画像の周縁に上記第２画像データにより表される画像に重ならない部分を残して上記第２画像データを上記第１画像データに上書きしたウィズ・ボーダータイプの画像の画像データを記憶することを特徴としている。
【００１４】
上記の構成によれば、補正部にて、入力画像データ（例えばＢＧＲの個々の画像データ）に対して第１の補正と第２の補正とが行われる。そして、上記第１の補正によって、単色画像に対応する第１画像データが得られる一方、上記第２の補正によって、プリントに適した画像を表現できるような第２画像データが得られる。
【００１５】
なお、上記第２の補正とは、プリントに適した画像を表現するために従来から一般的に行われている通常の補正（色補正、濃度補正、ガンマ補正など）を考えることができる。
【００１６】
ここで、上記第２画像データは、画像サイズが第１画像データよりも小さいものとなっており、記憶部が、上記第１画像データに上記第２画像データを上書きした状態で、上記第１画像データおよび上記第２画像データを記憶するので、上記第１画像データと上記第２画像データとが重ならない部分はそのまま単色画像に対応する第１画像データとなり、上記両画像データが重なっている部分は第２画像データとなる。したがって、上記記憶部では、最終的に、白縁付きの画像であるウィズ・ボーダータイプの画像の画像データが得られることになる。
【００１７】
このようなウィズ・ボーダータイプの画像データを得るにあたり、上記構成では、第１画像データの作成と第２画像データの作成とを同じ補正部にて行っているため、第１画像データの作成専用のブロックは勿論不要である。また、記憶部については、通常の補正を行った後の画像データを記憶するものとして従来から用いられているものである。
【００１８】
したがって、通常の補正を行う処理ライン（補正部および記憶部）でウィズ・ボーダータイプの画像データを得ることができ、従来のように、ウィズ・ボーダータイプの画像データを得るための専用のブロック（例えば白縁データを記憶するブロック、上記ブロックから白縁データを読み出して元の画像データと合成するブロック、記憶部をクリアするブロック）を必要としない。このように、既存の構成を有効利用してウィズ・ボーダータイプの画像を得ることができるので、従来のように新規な構成を別途追加しなくても済む分、装置の構成を簡素化することができ、装置の価格低減を図ることができる。
【００１９】
請求項２の発明に係る画像処理装置は、上記の課題を解決するために、請求項１の構成において、上記入力画像データの補正に用いる補正パラメータを設定する補正パラメータ設定部をさらに備え、上記補正パラメータ設定部は、上記第１の補正と上記第２の補正とで異なる補正パラメータを設定し、上記補正部は、個々の補正パラメータに基づいて上記第１の補正および上記第２の補正を行うことを特徴としている。
【００２０】
上記の構成によれば、補正パラメータ設定部が第１の補正および第２の補正に用いる補正パラメータを個々に設定すると、補正部は第１の補正用の補正パラメータを入力画像データに例えば加算することで上記第１画像データを得ることができる。また、補正部は第２の補正用の補正パラメータを入力画像データに例えば加算することで上記第２画像データを得ることができる。
【００２１】
なお、第２の補正において、例えばＢＧＲの個々の入力画像データに補正パラメータを加算した場合は、色補正された第２画像データが得られ、ＢＧＲの個々の入力画像データを例えば足して３で割ったもの（濃度）に補正パラメータを加算した場合は、濃度補正された第２画像データが得られる。
【００２２】
上記のように、補正パラメータ設定部が第１の補正と第２の補正とで用いる補正パラメータを異ならせて設定することで、補正部は、補正パラメータを変えるだけで、第１の補正と第２の補正とを両方行うことができる。言い換えれば、補正部は、補正パラメータを変えるだけで、第２の補正と同じ処理の仕方（入力画像データに補正パラメータを加算する処理）で第１の補正を行うことができる。
【００２３】
したがって、補正部としては、第２の補正の演算機能を最低限備えたものであればよく、第１の補正による第１画像データの作成専用のブロックを確実に不要とすることができる。その結果、請求項１の構成による効果を確実に得ることができる。
【００２４】
請求項３の発明に係る画像処理装置は、上記の課題を解決するために、請求項２の構成において、上記補正パラメータ設定部は、上記第１の補正によって上記第１画像データの値が全て白に対応する値となるように、上記第１の補正に用いる補正パラメータを設定することを特徴としている。
【００２５】
上記の構成によれば、補正パラメータ設定部の設定する補正パラメータを用いて補正部が第１の補正を行えば、第１画像データは全て白に対応する値となる。これにより、記憶部にて第１画像データに第２画像データを上書きしたときには、縁部分の白いウィズ・ボーダータイプの画像データを確実に得ることができる。
【００２６】
請求項４の発明に係る画像処理装置は、上記の課題を解決するために、請求項１ないし３のいずれかの構成において、上記補正部は、プリントサイズに応じた画像サイズの上記第１画像データを作成することを特徴としている。
【００２７】
上記の構成によれば、補正部によって、プリントサイズに応じた画像サイズの第１画像データが作成されるので、記憶部にて、上記第１画像データよりも画像サイズの小さい第２画像データを上記第１画像データに上書きしたときには、プリントサイズに応じた画像サイズのウィズ・ボーダータイプの画像データを得ることができる。つまり、どのようなサイズのプリント（感光材料や普通紙など）を用いる場合でも、そのサイズに合わせた大きさのウィズ・ボーダータイプの画像データを得ることができ、様々なプリントサイズに対処することが可能となる。
【００２８】
請求項５の発明に係る画像処理方法は、上記の課題を解決するために、補正部にて、入力画像データを用いて単色画像に対応する第１画像データを生成する第１の補正を行う工程と、上記補正部にて、上記入力画像データを用いて、プリントに適した画像を表現できるような画像データであって、画像サイズが上記第１画像データよりも小さい第２画像データを生成する第２の補正を行う工程と、上記第１画像データにより表される画像の周縁に上記第２画像データにより表される画像に重ならない部分を残して上記第２画像データを上記第１画像データに上書きしたウィズ・ボーダータイプの画像の画像データを記憶する工程とを有していることを特徴としている。
【００２９】
上記の構成によれば、補正部にて、入力画像データ（例えばＢＧＲの個々の画像データ）に対して第１の補正と第２の補正とが行われる。そして、上記第１の補正によって、単色画像に対応する第１画像データが得られる一方、上記第２の補正によって、プリントに適した画像を表現できるような第２画像データが得られる。
【００３０】
なお、上記第２の補正とは、プリントに適した画像を表現するために従来から一般的に行われている通常の補正（色補正、濃度補正、ガンマ補正など）を考えることができる。
【００３１】
ここで、上記第２画像データは、画像サイズが第１画像データよりも小さいものとなっており、上記第１画像データに上記第２画像データを上書きした状態で、上記第１画像データおよび上記第２画像データが例えば１個の記憶部に記憶される。このとき、上記第１画像データと上記第２画像データとが重ならない部分はそのまま単色画像に対応する第１画像データとなり、上記両画像データが重なっている部分は第２画像データとなる。したがって、最終的には、白縁付きの画像であるウィズ・ボーダータイプの画像の画像データが得られることになる。
【００３２】
このようなウィズ・ボーダータイプの画像データを得るにあたり、上記構成では、第１画像データの作成と第２画像データの作成とを同じ補正部にて行っているため、第１画像データの作成専用のブロックは勿論不要である。また、第１画像データに第２画像データを上書きした状態でこれらの画像データを記憶するので、上記両画像データを記憶する記憶部としては従来と同様に１個で済み、新たな記憶部を要しない。
【００３３】
したがって、通常の補正を行う処理ライン（補正部および記憶部）でウィズ・ボーダータイプの画像データを得ることができ、従来のように、ウィズ・ボーダータイプの画像データを得るための専用のブロック（例えば白縁データを記憶するブロック、上記ブロックから白縁データを読み出して元の画像データと合成するブロック、記憶部をクリアするブロック）を必要としない。このように、既存の構成を有効利用してウィズ・ボーダータイプの画像を得ることができるので、従来のように新規な構成を別途追加しなくても済む分、装置の構成を簡素化することができ、装置の価格低減を図ることができる。
【００３４】
請求項６の発明に係る画像処理プログラムは、上記の課題を解決するために、請求項５に記載の画像処理方法による処理をコンピュータに実行させるためのプログラムであることを特徴としている。
【００３５】
上記の構成によれば、上記プログラムをコンピュータが実行することにより、請求項５に記載の画像処理方法を実現することができる。
【００３６】
なお、本発明に係る画像処理プログラムは、入力画像データを用いて単色画像に対応する第１画像データを生成する第１の補正を行う手段と、上記入力画像データを用いて、プリントに適した画像を表現できるような画像データであって、画像サイズが上記第１画像データよりも小さい第２画像データを生成する第２の補正を行う手段と、上記第１画像データに上記第２画像データを上書きした状態で、上記第１画像データおよび上記第２画像データを記憶する手段としてコンピュータを機能させるためのプログラムであると言うこともできる。
【００３７】
請求項７の発明に係る画像処理プログラムを記録した記録媒体は、上記の課題を解決するために、請求項６に記載の画像処理プログラムをコンピュータにて読み取り可能に記録してなることを特徴としている。
【００３８】
上記の構成によれば、上記記録媒体に記録されたプログラムをコンピュータが実行することにより、請求項５に記載の画像処理方法を実現することができる。
【００３９】
請求項８の発明に係る写真処理装置は、上記の課題を解決するために、請求項１ないし４のいずれかに記載の画像処理装置と、上記画像処理装置の上記記憶部に記憶された上書きデータに基づいて感光材料を露光する露光部とを備えていることを特徴としている。
【００４０】
上記の構成によれば、上述した画像処理装置の記憶部に記憶された上書きデータ、すなわち、ウィズ・ボーダータイプの画像データに基づいて、露光部が感光材料を露光するので、ウィズ・ボーダータイプの画像が焼き付けられた写真プリントを得ることができる。
【００４１】
【発明の実施の形態】
本発明の実施の一形態について、図面に基づいて説明すれば以下の通りである。
【００４２】
本実施形態に係る写真処理装置は、写真フィルムに記録されている画像を、感光材料としての印画紙上に焼き付けるものであり、図１に示すように、スキャナ１と、画像処理部２（画像処理装置）と、露光部３とを備えている。
【００４３】
スキャナ１は、写真フィルムを透過する光を測光することによって写真フィルムに記録された画像を取り込むものであり、例えば、写真フィルムに光を照射する光源と、ＲＧＢの各色フィルタを備えた回転フィルタと、ＣＣＤ(Charge Coupled Device) カメラ（以下、単にＣＣＤと記載する）とで構成されている。ＲＧＢの各色の光が順次ＣＣＤに到達するように回転フィルタを回転させ、写真フィルムを透過した光をＲＧＢごとにＣＣＤにて受光することにより、ＣＣＤは受光量に応じた電気信号をＲＧＢごとに画像処理部２へ送る。これにより、写真フィルムに記録されている画像の各画素の濃度に対応する画像データがＲＧＢごとに得られることになる。なお、ＣＣＤを３板式のもので構成した場合は、上記の回転フィルタは不要である。
【００４４】
ＣＣＤにて得られる上記画像データは、例えば０から２５５までの２５６階調（８ビット）に対応しているが、例えば０から４０９５までの４０９６階調（１２ビット）に対応していても構わない。上記いずれの場合でも、値が小さいほど濃度が濃く、値が大きいほど濃度が薄いことを示している。
【００４５】
画像処理部２は、写真フィルムの１コマの画像を構成する各画素のＲＧＢの画像データに対して色や濃度等の補正処理を基本的に行うものであり、補正後の画像データを露光部３に送る。なお、画像処理部２の詳細な構成については後述する。画像処理部２は、写真処理装置に組み込まれたマイクロプロセッサおよび／またはＤＳＰ(Digital Signal Processor)などによって構成されてもよいし、装置の外部に設けられたＰＣ(Personal Computer) によって構成されてもよい。
【００４６】
なお、本実施形態では、画像処理部２に入力される画像データは、写真フィルムをスキャナ１にて読み取って得られる画像データとするが、画像処理部２への入力画像データは、この他にも、デジタルカメラでの撮影によって得られた画像データやＰＣ上で扱う画像データなど、デジタル画像データであれば何でもよい。
【００４７】
露光部３は、画像処理部２にて補正されたＲＧＢのデジタル画像データに基づいて光変調素子の各画素を駆動することにより印画紙を露光し、上記画像データに対応する画像を印画紙に焼き付ける。上記の光変調素子としては、例えばＰＬＺＴ露光ヘッド、ＤＭＤ（デジタル・マイクロミラー・デバイス）、ＬＣＤ（液晶表示装置）、ＬＣＳ（液晶シャッタ）、ＬＥＤパネル、レーザー、ＦＯＣＲＴ（Fiber Optic Cathode Ray Tube）、ＣＲＴが挙げられる。
【００４８】
上記の構成において、スキャナ１にて写真フィルムの複数コマの画像が読み取られると、スキャナ１からは上記複数コマの画像に対応する画像データが画像処理部２に入力される。そして、上記画像処理部２にて上記画像データに対して所定の補正処理が行われると、補正後の画像データが露光部３に送られ、露光部３にて、上記補正後の画像データに基づいて印画紙が露光される。
【００４９】
また、本写真処理装置は、図示しない現像部および乾燥部を備えており、露光部３での露光によって印画紙に焼き付けられた画像は、現像部の各種処理液によって現像される。そして、現像済みの印画紙は、乾燥部にて例えば熱風の吹き付けにより乾燥された後、必要に応じて１枚ごとにカットされて機外に排出されることになる。
【００５０】
次に、上記画像処理部２の詳細について説明する。図１に示すように、画像処理部２は、取り込み画像メモリ４と、補正部５と、補正パラメータ設定部６と、出力用画像メモリ７（記憶部）とを備えている。
【００５１】
取り込み画像メモリ４は、スキャナ１から送られるＢＧＲの画像データ（入力画像データ）を一時的に格納し、それらを補正部５に送る。取り込み画像メモリ４の記憶容量は、例えば写真フィルムの複数コマ分の画像データを記憶できる容量となっており、その記憶容量を越える画像データが取り込み画像メモリ４に入力された場合には、取り込み画像メモリ４では、超過分の入力画像データが古い入力画像データの上に順に上書き保存されていく。
【００５２】
補正部５は、上記入力画像データに対して後述する補正処理を行う。補正パラメータ設定部６は、上記入力画像データの補正に用いる補正パラメータを設定するブロックであり、補正部５での後述する第１の補正と第２の補正とで異なる補正パラメータを設定する。したがって、補正部５は、個々の補正パラメータに基づいて上記第１の補正および上記第２の補正を行うことになる。
【００５３】
出力用画像メモリ７は、補正部５にて補正された画像データを記憶し、その後、記憶した画像データを露光部３に送る。出力用画像メモリ７の記憶容量は、取り込み画像メモリ４と同様に、例えば上記補正された画像データを写真フィルムの複数コマ分記憶できる容量となっており、その記憶容量を越える補正画像データが補正部５から出力用画像メモリ７に入力された場合には、出力用画像メモリ７では、超過分の補正画像データが古い補正画像データの上に順に上書き保存されていく。
【００５４】
次に、上記した補正部５および補正パラメータ設定部６の詳細について説明する。
【００５５】
補正部５は、基本的には、上記入力画像データに対して、色補正、濃度補正、ガンマ補正などの、プリントに適した画像（人間が目で見て美観を感じるような画像）を表現するための補正を行うと共に、プリントサイズに合うように画像サイズの拡大／縮小を行う（通常の補正）。しかし、本発明は、補正部５が、上記通常の補正の前に、上記入力画像データを用いて白画像に対応する画像データを得るための補正（ＷＢ（ウィズ・ボーダ）用の補正）を行う点に大きな特徴がある。
【００５６】
上記通常の補正およびＷＢ用の補正は、補正パラメータ設定部６によって個々に設定される補正パラメータに基づいて行われるが、以下、上記補正パラメータについての説明も含めて、上記通常の補正および上記ＷＢ用の補正について説明する。
【００５７】
（通常の補正）
補正部５による補正で用いられる補正パラメータとしては、例えば以下のようなものがある。すなわち、上記補正パラメータとしては、色補正および濃度補正では、上記入力画像データに加算される補正値の数値があり、ガンマ補正では、上記入力画像データに乗算される係数があり、拡大／縮小処理では、変倍率（拡大率、縮小率）がある。
【００５８】
例えば、ＢＧＲごとの入力画像データをそれぞれＤＢ・ＤＧ・ＤＲ、各色に対応する補正パラメータをｂ・ｇ・ｒ、色補正後の画像データＤＢ’・ＤＧ’・ＤＲ’とすると、色補正は以下の式に基づいて行われることになる。
【００５９】
ＤＢ’＝ＤＢ＋ｂ      ・・・（１）
ＤＧ’＝ＤＧ＋ｇ      ・・・（２）
ＤＲ’＝ＤＲ＋ｒ      ・・・（３）
また、ある画素の元々の濃度（輝度）をＹ、濃度の補正パラメータをｙとすると、補正後の濃度Ｙ’は、以下の式となる。
【００６０】
Ｙ’＝Ｙ＋ｙ          ・・・（４）
なお、一般的に、濃度Ｙは、例えば以下の式で求めることができる。
【００６１】
Ｙ＝（ＤＢ＋ＤＧ＋ＤＲ）／３    ・・・（５）
したがって、式（１）〜（３）により色補正後の画像データＤＢ’・ＤＧ’・ＤＲ’を求めた後、さらに式（４）を満たすように画像データＤＢ’・ＤＧ’・ＤＲ’を微調整することで、色補正と濃度補正とを両方行うことができる。
【００６２】
また、ガンマ補正は、用いる印画紙の種類に応じて適切な色合いの画像を表現することができるように、画素ごとの入力画像データに基づいて得られる濃度値（例えば色補正および濃度補正後に得られる濃度値）に、用いる印画紙の種類に応じて設定された補正パラメータ（係数γ）を乗算することで行われ、これによって、上記入力画像データが補正されることになる。
【００６３】
したがって、上述した色補正、濃度補正、ガンマ補正は従来において通常行われる処理であり、従来と何ら変わるところはない。
【００６４】
また、拡大／縮小に用いる補正パラメータとしては、プリント対象の印画紙が選択されたときに、上記選択した印画紙のサイズに応じた変倍率がある。上記変倍率に基づいて補正後の画像データのサイズを補正部５が拡大または縮小することにより、印画紙のサイズの変更にも容易に対応することができる。
【００６５】
（ＷＢ用の補正）
上記ＷＢ用の補正を行う際には、補正パラメータ設定部６により、画像データがオーバーフローするような補正パラメータが設定され、補正部５がこの補正パラメータに基づいて上記した通常の補正の場合と同じ演算式を用いて、ＷＢ用の補正を行うことになる。
【００６６】
例えば、本実施形態のように８ビットの画像データを扱う場合、色補正に用いる補正パラメータ、すなわち、入力画像データに加算される補正値（上記の例ではｂ・ｇ・ｒ）として、例えば３００という数値が補正パラメータ設定部６により設定される。この場合、元の入力画像データが０〜２５５までのどの値をとっていても、補正値加算後の値は２５５を確実に越える（オーバーフローする）ことになる。画像データとしては０〜２５５までしか存在しないので、２５５を越えた画像データについては、最終的に画像データの最大値である２５５として認識されることになり、補正後の画像データは、全て白に対応する値となる。
【００６７】
また、濃度補正やガンマ補正の演算式を用いるならば、補正パラメータ設定部６は補正パラメータ（上記の例ではｙやγ）を例えば１０００に設定することで、補正後の画像データは２５５を確実にオーバーフローするようになり、上記と同様に全て白に対応する値となる。
【００６８】
なお、元のＢＧＲの入力画像データの値が全て０の場合は、この入力画像データに上記の１０００という係数を掛けても０であり、２５５を越えないため、ガンマ補正の演算により全ての画像データを２５５にすることは不可能となる。この場合は、上記した色補正または濃度補正の演算で入力画像データを補正する必要がある。
【００６９】
なお、ＷＢ用の補正に用いる補正パラメータとしては、上記の３００や１０００という数値に限定されるわけではなく、入力画像データに補正パラメータを加算または乗算したときに、得られる値が全てオーバーフローし（この例では２５５以上となり）、結果的に全て白画像に対応する画像データが得られるような値であれば、どのような値に設定されてもよい。
【００７０】
上記のように、補正パラメータ設定部６が、ＷＢ用の補正に用いられる補正パラメータと通常の補正に用いられる補正パラメータとをそれぞれ別個に設定することで、通常の補正にて用いる演算式、すなわち、色補正、濃度補正、ガンマ補正にて用いる演算式と同じ式を利用して、補正部５がＷＢ用の補正を行うことが可能となる。
【００７１】
次に、画像処理部２における動作について、図２のフローチャート、図３（ａ）〜図３（ｃ）に基づいて説明する。
【００７２】
スキャナ１にて取り込んだ画像データが画像処理部２の取り込み画像メモリ４に入力され、取り込み画像メモリ４から上記入力画像データが補正部５に送られると（ステップ１；以下、ステップは単にＳと略記する）、補正部５は、上記入力画像データをオーバーフローさせるような補正、すなわち上記したＷＢ用の補正を行う（Ｓ２）。
【００７３】
上述したように、ＷＢ用の補正では、補正パラメータ設定部６により、入力画像データがオーバーフローする（２５５を越える）ような補正パラメータが設定されているので、補正部５が例えば色補正処理の演算で上記補正パラメータを用いて上記入力画像データを補正することにより、入力画像データの全てが白に対応する画像データ（２５５）に変換される。
【００７４】
続いて、補正部５は、Ｓ２での補正によって得られた画像データをプリントサイズに合うように変倍し、第１画像データを作成する（Ｓ３）。結局、Ｓ２およびＳ３での処理が、上記入力画像データを用いて、白画像に対応する第１画像データを生成する第１の補正に相当する。補正部５が上記第１画像データを出力用画像メモリ７に送ると、出力用画像メモリ７は、上記第１画像データを記憶する（Ｓ４）。
【００７５】
ここで、出力用画像メモリ７は、最大幅（１２インチ）の印画紙に画像を焼き付けることができるような、複数コマ分の画像データの記憶容量を有している。図３（ａ）は、この最大幅の印画紙に１コマのウィズ・ボーダータイプの画像を形成する場合における上記第１画像データの画像１１のイメージを示している。なお、これよりも幅の狭い印画紙にウィズ・ボーダータイプの画像を形成する場合は、第１画像データの画像１１の範囲は、図３（ａ）に示す領域よりも当然狭くなる。
【００７６】
次に、補正部５は、Ｓ１にて得られる上記と同じ入力画像データを用いて、プリントに適した画像を表現できるような画像データを作成すべく、上記入力画像データに対して、第２の補正用の補正パラメータを用いて、上記した通常の補正処理（色補正、濃度補正、ガンマ補正などの処理）を行う（Ｓ５）。そして、補正部５は、Ｓ５にて補正された画像データを、画像サイズが上記第１画像データよりも小さくなるように変倍し、第２画像データを作成する（Ｓ６）。したがって、Ｓ５およびＳ６での処理が、上記入力画像データを用いて、プリントに適した画像を表現できるような画像データであって、画像サイズが上記第１画像データよりも小さい第２画像データを生成する第２の補正に相当する。Ｓ６の結果、図３（ｂ）に示すように、第１画像データの画像１１よりも画像サイズが小さい第２画像データの画像１２が得られることになる。
【００７７】
その後、補正部５が、上記第２画像データを出力用画像メモリ７に送ると、出力用画像メモリ７は、上記第１画像データに上記第２画像データを上書きした状態で、上記第１画像データおよび上記第２画像データを記憶する（Ｓ７）。図３（ｃ）は、上記第２画像データの画像１２を上記第１画像データの画像１１に上書きして得られるウィズ・ボーダータイプの画像１３のイメージを示している。つまり、第１画像データの画像１１は白画像であり、これよりも画像サイズの小さい第２画像データの画像１２が上記第１画像データの画像１１に上書きされることで、縁部分（画像１２の形成領域−画像１１の形成領域）が白色のウィズ・ボーダータイプの画像１３が得られることになる。
【００７８】
画像１３の画像データが出力用画像メモリ７から露光部３に送られると、露光部３は、上記画像データに基づいて印画紙を露光することにより、印画紙には、ウィズ・ボーダータイプの画像１３が焼き付けられる。
【００７９】
以上のように、本発明では、補正部５が、入力画像データを用いて、プリントに適した画像を表現するための補正のみならず、白画像に対応する第１画像データを作成する補正を行っている。そして、上記第１画像データと上記第２画像データとを出力用画像メモリ７にて上書き保存することで、ウィズ・ボーダータイプの画像データを得る構成となっている。つまり、本発明では、上記の動作説明からも分かるように、通常の補正処理ライン（補正部５および出力用画像メモリ７）を２回活用することでウィズ・ボーダータイプの画像データを得る構成となっている。
【００８０】
このとき、本発明では、第１画像データの作成と第２画像データの作成とを同じ補正部５にて行っているため、第１画像データの作成専用のブロックは勿論不要である。また、出力用画像メモリ７については、通常の補正を行った後の画像データを記憶するものとして従来から用いられているものであり、本発明では、この出力用画像メモリ７を利用して第２画像データを第１画像データに上書き保存している。
【００８１】
したがって、通常の補正（本発明では第２の補正）を行う処理ライン（補正部５、出力用画像メモリ７）でウィズ・ボーダータイプの画像データを得ることができ、図４および図５で示した従来のように、そのような画像データを得るための専用のブロックを必要としない。このように、本発明によれば、既存の構成を有効利用してウィズ・ボーダータイプの画像を得ることができるので、従来のように新規な構成を別途追加しなくても済む分、装置の構成を簡素化して装置の価格低減を図ることができる。
【００８２】
また、補正パラメータ設定部６が、上記第１の補正と上記第２の補正とで異なる補正パラメータを設定し、補正部５は、個々の補正パラメータに基づいて上記第１の補正および上記第２の補正を行うので、プリントに適した画像を得るための従来と同様の補正を補正部５にて行い、しかも、ウィズ・ボーダータイプの画像を作成するための第１画像データを同じ補正部５にて作成することができる。このため、第１画像データを作成する専用のブロックを新たに設けなくても済む。その結果、装置の構成を簡素化して装置の価格を低減できる本発明の効果を確実なものとすることができる。
【００８３】
また、補正パラメータ設定部６は、上記第１の補正によって上記第１画像データの値が全て白に対応する値（本実施形態では２５５）となるように、上記第１の補正に用いる補正パラメータを設定している。これにより、補正部５での第１の補正により、第１画像データとして白画像の画像データが得られるので、この第１画像データと第２画像データとを足し合わせたときに、縁部分が白色のウィズ・ボーダータイプの画像データを確実に得ることができる。
【００８４】
さらに、補正部５は、プリントサイズに応じた画像サイズの上記第１画像データを作成するので、どのようなサイズの印画紙を用いた場合でも、用いた印画紙のサイズに合う第１画像データを得ることができる。これにより、どのようなサイズの印画紙にでも、ウィズ・ボーダータイプの画像を確実に焼き付けることが可能となる。
【００８５】
なお、以上では、補正部５が、上記第１画像データとして、白画像に対応する画像データを作成する例について説明したが、例えば以下のようにすれば、その他の色画像に対応する第１画像データを作成することもできる。
【００８６】
つまり、補正部５が、例えば本実施形態で説明したように、ＢＧＲの各画像データの値が全て２５５となるように、入力画像データを一旦オーバーフローさせた後、上記各画像データに対して一律に例えば負の一定値を加算する補正を行えばよい。この場合、上記負の一定値がどのような値であっても、ＢＧＲの各画像データは０〜２５５までのいずれかの値に揃うので、ＢＧＲの各画像データを足し合わせたときには、白以外の単色画像の第１画像データが作成されることとなる。
【００８７】
したがって、補正部５は、上記した第１の補正では、上記入力画像データを用いて単色画像に対応する第１画像データを生成することができるブロックであると言える。この場合、出力用画像メモリ７が上記第１画像データと第２画像データとを足し合わせたときには、縁部分が白以外の色となるウィズ・ボーダータイプの画像データを得ることができる。
【００８８】
ところで、本実施形態で説明した処理は、プログラムで実現することが可能である。このプログラムはコンピュータで読み取り可能な記録媒体に格納されている。本発明では、この記録媒体として、画像処理部２で処理が行われるために必要な図示していないメモリ（例えばＲＯＭそのもの）であってもよいし、また図示していないが外部記憶装置としてプログラム読み取り装置が設けられ、そこに記録媒体を挿入することで読み取り可能なプログラムメディアであってもよい。
【００８９】
上記いずれの場合においても、格納されているプログラムはマイクロプロセッサ（図示せず）のアクセスにより実行される構成であってもよいし、格納されているプログラムを読み出し、読み出したプログラムを配信サーバーおよび受信サーバー図示されていないプログラム記憶エリアにダウンロードすることにより、そのプログラムが実行される構成であってもよい。この場合、ダウンロード用のプログラムは予め本体装置に格納されているものとする。
【００９０】
ここで、上記プログラムメディアは、本体と分離可能に構成される記録媒体であり、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００９１】
また、本発明においては、インターネットを含む通信ネットワークと接続可能なシステム構成であることから、通信ネットワークからプログラムをダウンロードするように流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。
【００９２】
なお、記録媒体に格納されている内容としてはプログラムに限定されず、データであってもよい。
【００９３】
なお、本実施形態では、画像処理部２にて作成された上書きデータ（ウィズ・ボーダータイプの画像データ）を露光部３に供給して写真プリントを得る構成となっているが、上書きデータを例えばインクジェットプリンタなどの画像形成装置に供給し、普通紙や光沢紙上に上書きデータに基づいてウィズ・ボーダータイプの画像を形成するようにしてもよい。
【００９４】
なお、本実施形態では、補正パラメータ設定部６により、第１の補正に用いる補正パラメータを自動的に設定しているが、例えば入力部を介して上記補正パラメータを手動で設定、入力する構成であっても勿論構わない。
【００９５】
【発明の効果】
請求項１の発明に係る画像処理装置は、以上のように、入力画像データに対して補正処理を行う補正部と、上記補正部にて補正された画像データを記憶する記憶部とを備えた画像処理装置であって、上記補正部は、上記入力画像データを用いて単色画像に対応する第１画像データを生成する第１の補正を行うと共に、上記入力画像データを用いて、プリントに適した画像を表現できるような画像データであって、画像サイズが上記第１画像データよりも小さい第２画像データを生成する第２の補正を行い、上記記憶部は、上記第１画像データにより表される画像の周縁に上記第２画像データにより表される画像に重ならない部分を残して上記第２画像データを上記第１画像データに上書きしたウィズ・ボーダータイプの画像の画像データを記憶する構成である。
【００９６】
それゆえ、上記第１画像データと上記第２画像データとからなるウィズ・ボーダータイプの画像データを得るにあたり、第１画像データの作成と第２画像データの作成とを同じ補正部にて行っているため、第１画像データの作成専用のブロックは勿論不要である。また、記憶部については、通常の補正を行った後の画像データを記憶するものとして従来から用いられているものである。
【００９７】
したがって、通常の補正を行う処理ライン（補正部および記憶部）でウィズ・ボーダータイプの画像データを得ることができ、従来のように、ウィズ・ボーダータイプの画像データを得るための専用のブロック（例えば白縁データを記憶するブロック、上記ブロックから白縁データを読み出して元の画像データと合成するブロック、記憶部をクリアするブロック）を必要としない。このように、既存の構成を有効利用してウィズ・ボーダータイプの画像を得ることができるので、従来のように新規な構成を別途追加しなくても済む分、装置の構成を簡素化することができ、装置の価格低減を図ることができるという効果を奏する。
【００９８】
請求項２の発明に係る画像処理装置は、以上のように、請求項１の構成において、上記入力画像データの補正に用いる補正パラメータを設定する補正パラメータ設定部をさらに備え、上記補正パラメータ設定部は、上記第１の補正と上記第２の補正とで異なる補正パラメータを設定し、上記補正部は、個々の補正パラメータに基づいて上記第１の補正および上記第２の補正を行う構成である。
【００９９】
それゆえ、補正パラメータ設定部が第１の補正と第２の補正とで用いる補正パラメータを異ならせて設定することで、補正部は、補正パラメータを変えるだけで、第１の補正と第２の補正とを両方行うことができる。言い換えれば、補正部は、補正パラメータを変えるだけで、第２の補正と同じ処理の仕方（入力画像データに補正パラメータを加算する処理）で第１の補正を行うことができる。
【０１００】
したがって、補正部としては、第２の補正の演算機能を最低限備えたものであればよく、第１の補正による第１画像データの作成専用のブロックを確実に不要とすることができる。その結果、請求項１の構成による効果を確実に得ることができるという効果を奏する。
【０１０１】
請求項３の発明に係る画像処理装置は、以上のように、請求項２の構成において、上記補正パラメータ設定部は、上記第１の補正によって上記第１画像データの値が全て白に対応する値となるように、上記第１の補正に用いる補正パラメータを設定する構成である。
【０１０２】
それゆえ、上記第１の補正によって上記第１画像データの値が全て白に対応する値となるので、記憶部にて第１画像データに第２画像データを上書きしたときには、縁部分の白いウィズ・ボーダータイプの画像データを確実に得ることができるという効果を奏する。
【０１０３】
請求項４の発明に係る画像処理装置は、以上のように、請求項１ないし３のいずれかの構成において、上記補正部は、プリントサイズに応じた画像サイズの上記第１画像データを作成する構成である。
【０１０４】
それゆえ、記憶部にて、上記第１画像データよりも画像サイズの小さい第２画像データを上記第１画像データに上書きしたときには、プリントサイズに応じた画像サイズのウィズ・ボーダータイプの画像データを得ることができる。つまり、どのようなサイズのプリント（感光材料や普通紙など）を用いる場合でも、そのサイズに合わせた大きさのウィズ・ボーダータイプの画像データを得ることができ、様々なプリントサイズに対処することが可能となるという効果を奏する。
【０１０５】
請求項５の発明に係る画像処理方法は、以上のように、補正部にて、入力画像データを用いて単色画像に対応する第１画像データを生成する第１の補正を行う工程と、上記補正部にて、上記入力画像データを用いて、プリントに適した画像を表現できるような画像データであって、画像サイズが上記第１画像データよりも小さい第２画像データを生成する第２の補正を行う工程と、上記第１画像データにより表される画像の周縁に上記第２画像データにより表される画像に重ならない部分を残して上記第２画像データを上記第１画像データに上書きしたウィズ・ボーダータイプの画像の画像データを記憶する工程とを有している構成である。
【０１０６】
それゆえ、第１画像データと第２画像データとからなるウィズ・ボーダータイプの画像データを得るにあたり、第１画像データの作成と第２画像データの作成とを同じ補正部にて行っているため、第１画像データの作成専用のブロックは勿論不要である。また、第１画像データに第２画像データを上書きした状態でこれらの画像データを記憶するので、上記両画像データを記憶する記憶部としては従来と同様に１個で済み、新たな記憶部を要しない。
【０１０７】
したがって、通常の補正を行う処理ライン（補正部および記憶部）でウィズ・ボーダータイプの画像データを得ることができ、従来のように、ウィズ・ボーダータイプの画像データを得るための専用のブロック（例えば白縁データを記憶するブロック、上記ブロックから白縁データを読み出して元の画像データと合成するブロック、記憶部をクリアするブロック）を必要としない。このように、既存の構成を有効利用してウィズ・ボーダータイプの画像を得ることができるので、従来のように新規な構成を別途追加しなくても済む分、装置の構成を簡素化することができ、装置の価格低減を図ることができるという効果を奏する。
【０１０８】
請求項６の発明に係る画像処理プログラムは、以上のように、請求項５に記載の画像処理方法をコンピュータに実行させるためのプログラムである構成である。
【０１０９】
それゆえ、上記プログラムをコンピュータが実行することにより、請求項５に記載の画像処理方法を実現することができるという効果を奏する。
【０１１０】
請求項７の発明に係る画像処理プログラムを記録した記録媒体は、以上のように、請求項６に記載の画像処理プログラムをコンピュータにて読み取り可能に記録してなる構成である。
【０１１１】
それゆえ、上記記録媒体に記録されたプログラムをコンピュータが実行することにより、請求項５に記載の画像処理方法を実現することができるという効果を奏する。
【０１１２】
請求項８の発明に係る写真処理装置は、以上のように、請求項１ないし４のいずれかに記載の画像処理装置と、上記画像処理装置の上記記憶部に記憶された上書きデータに基づいて感光材料を露光する露光部とを備えている構成である。
【０１１３】
それゆえ、上記の上書きデータ（ウィズ・ボーダータイプの画像データ）に基づいて露光部が感光材料を露光するので、ウィズ・ボーダータイプの画像が焼き付けられた写真プリントを得ることができるという効果を奏する。
【図面の簡単な説明】
【図１】本発明に係る写真処理装置の概略の構成を示すブロック図である。
【図２】上記写真処理装置が備える画像処理装置における動作の流れを示すフローチャートである。
【図３】（ａ）は、上記画像処理装置の補正部によって作成される、縁画像に対応する第１画像データの画像のイメージを示す説明図である。（ｂ）は、上記補正部での通常の補正処理によって作成される第２画像データの画像のイメージを示す説明図である。（ｃ）は、上記画像処理装置の出力用画像メモリにて第２画像データを第１画像データに上書きしてなるウィズ・ボーダータイプの画像のイメージを示す説明図である。
【図４】ウィズ・ボーダータイプの画像を作成する従来の写真処理装置の概略の構成を示すブロック図である。
【図５】ウィズ・ボーダータイプの画像を作成する従来の他の写真処理装置の概略の構成を示すブロック図である。
【符号の説明】
２    画像処理部（画像処理装置）
３    露光部
５    補正部
６    補正パラメータ設定部
７    出力用画像メモリ（記憶部）
【図１】
0003690320.tif 000002
【図２】
0003690320.tif 000003
【図３】
0003690320.tif 000004
【図４】
0003690320.tif 000005
【図５】
0003690320.tif 000006